(57)【特許請求の範囲】
【請求項１】
ＣＭ（commercial message）バンクから送出されたＣＭ素材の映像信号を送信所に送信される前に取得する中継手段と、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段と、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段と、
を有し、
前記ＣＭバンクと同一の放送局内に設置されているＣＭ管理装置。
【請求項２】
ＣＭバンクから送出されたＣＭ素材の映像信号を送信所に送信される前に取得する中継手段と、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段と、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段と、
を有し、
前記ＣＭバンクと同一の放送局に管理されているＣＭ管理装置。
【請求項３】
請求項１又は２に記載のＣＭ管理装置において、
前記ＣＭ素材識別情報は、前記ＣＭ素材の冒頭の映像信号の前記付属情報領域に含まれるＣＭ管理装置。
【請求項４】
請求項１から３のいずれか１項に記載のＣＭ管理装置において、
前記差替手段は、前記差替ＣＭ素材の映像信号が前記送信所に送信されるように処理する場合、前記差替ＣＭ素材の映像信号の前記付属情報領域に、放送不可と判定された前記ＣＭ素材の前記ＣＭ素材識別情報が含められるように処理するＣＭ管理装置。
【請求項５】
請求項１から４のいずれか１項に記載のＣＭ管理装置において、
前記判定手段は、前記ＣＭ素材各々の放送が禁止される放送禁止条件に基づき、前記ＣＭ素材の放送の可否を判定するＣＭ管理装置。
【請求項６】
請求項１から５のいずれか１項に記載のＣＭ管理装置において、
前記判定手段は、前記ＣＭ素材各々の放送が許可される放送許可条件に基づき、前記ＣＭ素材の放送の可否を判定するＣＭ管理装置。
【請求項７】
ＣＭバンクと同一の放送局内に設置されているコンピュータが、
前記ＣＭバンクから送出されたＣＭ素材の映像信号を送信所に送信される前に取得する中継工程と、
前記中継工程で取得した前記ＣＭ素材の映像信号の付属情報領域に含まれるＣＭ素材識別情報を取得し、当該ＣＭ素材識別情報で特定される前記ＣＭ素材の放送の可否を判定する判定工程と、
前記判定工程で放送可と判定されると、当該ＣＭ素材の映像信号が前記送信所に送信されるように処理し、前記判定工程で放送不可と判定されると、当該ＣＭ素材の映像信号に変えて、差替ＣＭ素材の映像信号が前記送信所に送信されるように処理する差替工程と、
を実行するＣＭ管理方法。
【請求項８】
ＣＭバンクと同一の放送局に管理されているコンピュータが、
前記ＣＭバンクから送出されたＣＭ素材の映像信号を送信所に送信される前に取得する中継工程と、
前記中継工程で取得した前記ＣＭ素材の映像信号の付属情報領域に含まれるＣＭ素材識別情報を取得し、当該ＣＭ素材識別情報で特定される前記ＣＭ素材の放送の可否を判定する判定工程と、
前記判定工程で放送可と判定されると、当該ＣＭ素材の映像信号が前記送信所に送信されるように処理し、前記判定工程で放送不可と判定されると、当該ＣＭ素材の映像信号に変えて、差替ＣＭ素材の映像信号が前記送信所に送信されるように処理する差替工程と、
を実行するＣＭ管理方法。
【請求項９】
ＣＭバンクと同一の放送局内に設置されているコンピュータを、
前記ＣＭバンクから送出されたＣＭ素材の映像信号を送信所に送信される前に取得する中継手段、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段、
として機能させるためのプログラム。
【請求項１０】
ＣＭバンクと同一の放送局に管理されているコンピュータを、
前記ＣＭバンクから送出されたＣＭ素材の映像信号を送信所に送信される前に取得する中継手段、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段、
として機能させるためのプログラム。
【発明の詳細な説明】
【技術分野】
【０００１】
本発明は、ＣＭ管理装置、ＣＭ管理方法、及び、プログラムに関する。
【背景技術】
【０００２】
特許文献１に、関連する技術が開示されている。特許文献１には、ＣＭ枠及びそれに付属するＣＭ素材によって構成される送出ＣＭデータを変更する自動番組制御装置の送出ＣＭデータ自動再配置システムが開示されている。
【先行技術文献】
【特許文献】
【０００３】
【特許文献１】特開平１１−２０５２５９号
【発明の概要】
【発明が解決しようとする課題】
【０００４】
ＣＭ素材各々には、放送されるのが好ましくないタイミングが存在し得る。例えば、大人向けの商品のＣＭ素材を子供の視聴率が高い時間帯に放送するのは、子供への影響やＣＭ効果等を考慮すると好ましくない場合がある。
【０００５】
通常、ＣＭ素材毎の放送条件（放送が禁止される条件や放送が許可される条件等）を考慮して、ＣＭ進行データが作成される。そして、ＣＭ進行データに従いＣＭ素材が放送される。ＣＭ進行データでは、複数のＣＭ枠各々に、放送されるＣＭ素材が対応付けられている。
【０００６】
しかし、緊急特番（例：緊急ニュース）の挿入等に起因して、放送日当日の放送間際に、ＣＭの放送スケジュールが変更される場合がある。そして、ＣＭ進行データで定められたタイミングよりも早いタイミング、また遅いタイミングで、ＣＭ素材が放送されることがある。このような場合、放送の現場でＣＭ素材毎の放送条件を一つ一つ考慮し、放送条件を満たすように各ＣＭ素材の変更後の放送タイミングを決定するのは難しい。このため、放送されるのが好ましくないタイミングでＣＭ素材が放送されるという不都合が発生し得る。特許文献１に記載の技術の場合、このような不都合を解消できない。
【０００７】
本発明は、好ましくないタイミングでＣＭ素材が放送される不都合を軽減するための新たな技術を提供することを課題とする。
【課題を解決するための手段】
【０００８】
本発明によれば、
ＣＭバンクから送出されたＣＭ素材の映像信号を送信所に送信される前に取得する中継手段と、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段と、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段と、
を有し、
前記ＣＭバンクと同一の放送局内に設置されているＣＭ管理装置が提供される。
【０００９】
また、本発明によれば、
ＣＭバンクと同一の放送局内に設置されているコンピュータが、
前記ＣＭバンクから送出されたＣＭ素材の映像信号を送信所に送信される前に取得する中継工程と、
前記中継工程で取得した前記ＣＭ素材の映像信号の付属情報領域に含まれるＣＭ素材識別情報を取得し、当該ＣＭ素材識別情報で特定される前記ＣＭ素材の放送の可否を判定する判定工程と、
前記判定工程で放送可と判定されると、当該ＣＭ素材の映像信号が前記送信所に送信されるように処理し、前記判定工程で放送不可と判定されると、当該ＣＭ素材の映像信号に変えて、差替ＣＭ素材の映像信号が前記送信所に送信されるように処理する差替工程と、
を実行するＣＭ管理方法が提供される。
【００１０】
また、本発明によれば、
ＣＭバンクと同一の放送局内に設置されているコンピュータを、
前記ＣＭバンクから送出されたＣＭ素材の映像信号を送信所に送信される前に取得する中継手段、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段、
として機能させるためのプログラムが提供される。
【発明の効果】
【００１１】
本発明によれば、好ましくないタイミングでＣＭ素材が放送される不都合を軽減するための新たな技術が実現される。
【図面の簡単な説明】
【００１２】
【図１】本実施形態の装置のハードウエア構成の一例を概念的に示す図である。
【図２】本実施形態の放送局に備えられるシステムの機能ブロック図の一例である。
【図３】本実施形態のＣＭ管理装置の機能ブロック図の一例である。
【図４】本実施形態のＣＭ毎放送禁止条件情報の一例を模式的に示す図である。
【図５】本実施形態の放送禁止条件値情報の一例を模式的に示す図である。
【図６】本実施形態の放送禁止情報の一例を模式的に示す図である。
【図７】本実施形態のＣＭ管理装置の処理の流れの一例を示すフローチャートである。
【図８】本実施形態のＣＭ毎放送許可条件情報の一例を模式的に示す図である。
【図９】本実施形態の放送許可条件値情報の一例を模式的に示す図である。
【図１０】本実施形態の放送許可条件情報の一例を模式的に示す図である。
【発明を実施するための形態】
【００１３】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１４】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１５】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１６】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００１７】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１８】
＜第１の実施形態＞
まず、本実施形態の概要について説明する。本実施形態のＣＭ管理装置１０は、データ送受信の流れ上、ＣＭバンクと送信所の間に位置する。ＣＭバンクは、所定の指示に従い、所定のＣＭ素材の映像信号を送出する。ＣＭ管理装置１０は、ＣＭバンクから送出されたＣＭ素材の映像信号を、送信所に送信される前に取得する。
【００１９】
そして、ＣＭ管理装置１０は、取得したＣＭ素材の映像信号の付属情報領域に含まれるＣＭ素材識別情報を取得し、当該ＣＭ素材識別情報で特定されるＣＭ素材の当該タイミングでの放送の可否を判定する。例えば、ＣＭ管理装置１０は、予め保持している放送禁止条件（ＣＭ素材各々の放送が禁止される条件）、及び／又は、放送許可条件（ＣＭ素材各々の放送が許可される条件）に基づき、各ＣＭ素材の当該タイミングでの放送の可否を判定する。
【００２０】
そして、ＣＭ管理装置１０は、放送可と判定した場合、ＣＭバンクから送出されたＣＭ素材の映像信号を出力する。一方、ＣＭ管理装置１０は、放送不可と判定した場合、ＣＭバンクから送出されたＣＭ素材の映像信号に代えて、他の差替ＣＭ素材の映像信号を出力する。
【００２１】
ＣＭ管理装置１０から出力された映像信号は、その後、他の信号との多重化処理等がなされた後、送信所に送信される。送信所は、受信した信号を放送波として送信する。
【００２２】
このような本実施形態によれば、ＣＭバンクから送出された後、かつ、送信所に送信される前に、ＣＭバンクから送出されたＣＭ素材各々の当該タイミングでの放送の可否を判定することができる。そして、放送可の場合は当該ＣＭ素材をそのまま放送し、放送不可の場合は他の差替ＣＭ素材を放送するよう制御できる。このように、本実施形態によれば、より放送タイミングに近い水際でのチェックが実現される。
【００２３】
また、放送の可否を判定するためには、ＣＭバンクから送出されたＣＭ素材を識別する必要がある。本実施形態のＣＭ管理装置１０は、映像信号の付属情報領域を利用して、ＣＭバンクから送出されたＣＭ素材の識別を実現する。当該手段によれば、既存システムからの大幅な変更を回避できる。
【００２４】
最初に、図２の機能ブロック図を用いて放送局に備えられるシステムの一例を簡単に説明する。
【００２５】
営放システムでは、放送進行データが作成される。例えば、ＣＭの放送スケジュールを示すＣＭ進行データが作成される。
【００２６】
ＤＳ（データサーバ）は、営放システムから放送進行データを取得する。そして、ＤＳは、オペレータによる放送進行データの確認や修正等の操作を受付ける。また、ＤＳは、オペレータから放送の進行に関する入力、例えば、生放送時にはＣＭに移るタイミングや本編に戻るタイミング等を指定する入力を受付ける。
【００２７】
制御システムは、ＤＳから取得した放送進行データや放送の進行に関する入力等に基づき、傘下の複数の機器（ＣＭバンク、番組バンク等）を制御する。例えば、制御システムは、ＤＳから取得した放送進行データや放送の進行に関する入力等に基づき、所定のＣＭ素材を所定のタイミングで送出する指示をＣＭバンクに送信する。
【００２８】
例えば、制御システムは、ＣＭ素材が送出されるタイミング（送出タイミング）よりも前（例：数秒前、１〜２分前）に、そのＣＭ素材の識別情報（例：コード、アドレス情報等）を含むスタンバイ情報をＣＭバンクに送信してもよい。そして、制御システムは、スタンバイ情報送信後の所定のタイミングで、事前にスタンバイさせたＣＭ素材を送出する指示（送出指示）を送信してもよい。
【００２９】
ＣＭバンクは、複数のＣＭ素材の映像信号を記憶している。そして、ＣＭバンクは、制御システムからの指示に従い、所定のタイミングで所定のＣＭ素材の映像信号を送出する。例えば、ＣＭバンクは、スタンバイ情報を受信すると、当該スタンバイ情報に含まれる識別情報で特定されるＣＭ素材を準備する。準備するとは、その後の送出指示を受信すると、少ないタイムラグで映像信号の送出を開始できるようにすることであり、例えば、対象ファイルを処理速度が比較的速い記憶装置に移す処理等が該当する。
【００３０】
ＣＭバンク内に設けられたＡＮＣ  ＩＮＣ（アンシラリ  インサータ）は、映像信号の付属情報領域（いわゆる、アンシラリ領域）に所定の付属情報を挿入する。本実施形態の場合、当該ＡＮＣ  ＩＮＣは、ＣＭ素材各々の識別情報（例：コード等）を付属情報領域に挿入する。なお、図示しないが、ＣＭバンク内と異なる部分に他のＡＮＣ  ＩＮＣが設けられ、本編の映像信号やＣＭ素材の映像信号の付属情報領域に所定の付属情報を挿入してもよい。
【００３１】
番組バンクは、複数の本編（番組）の映像信号を記憶している。そして、制御システムからの指示に従い、所定のタイミングで所定の本編の映像信号を送出する。
【００３２】
マスタースイッチャーには、ＣＭ素材の映像信号、本編の映像信号、系列ネットからの映像信号等、複数の映像信号が入力される。マスタースイッチャーは、そこから出力される映像信号を切り替える。
【００３３】
ＥＮＣは、エンコーダである。ＳＩ（サービスインフォメーション）送出は、番組表等、所定の情報を送出する。データ放送は、データ放送の情報を送出する。ＭＵＸ（マルチプレクサ）は、入力された複数の信号を多重化する。ＭＵＸで多重化された信号は、その後、所定の処理が施された後、送信所へ送信される。送信所は、受信した信号を放送波（電波）として送信する。
【００３４】
営放システム、ＤＳ及び制御システムは、例えば、情報系回線で互いに通信可能になっている。制御システムと、その傘下の装置（ＣＭバンク、番組バンク等）は、制御系回線で互いに通信可能になっている。なお、通信規格は設計的事項である。
【００３５】
本実施形態のＣＭ管理装置１０は、データ（映像信号）送受信の流れ上、ＣＭバンクと送信所の間に位置する。例えば、ＣＭ管理装置１０は、図示する（１）の位置、すなわち、ＣＭバンクとマスタースイッチャーの間に位置してもよい。その他、ＣＭ管理装置１０は、図示する（２）の位置、すなわち、マスタースイッチャーとＥＮＣの間に位置してもよい。いずれも、ＣＭ管理装置１０は、ＣＭバンクとＭＵＸとの間に位置する。なお、上記例示はあくまで一例であり、ＣＭバンクと送信所の間のその他の位置に設置されてもよい。
【００３６】
次に、本実施形態のＣＭ管理装置１０の構成を詳細に説明する。図３に、本実施形態のＣＭ管理装置１０の機能ブロック図の一例を示す。図示するように、ＣＭ管理装置１０は、中継部１１と、判定部１２と、差替部１３とを有する。
【００３７】
中継部１１は、ＣＭバンクから送出されたＣＭ素材の映像信号を送信所に送信される前に取得する。ＣＭバンクは、制御システムからの指示に従い、所定のタイミングで所定のＣＭ素材の映像信号を送出する。
【００３８】
図２の（１）の位置にＣＭ管理装置１０を設ける場合、中継部１１は、ＣＭバンクから送出された映像信号を、マスタースイッチャーに入力される前に取得する。図２の（２）の位置にＣＭ管理装置１０を設ける場合、中継部１１は、マスタースイッチャーから送出された映像信号を、ＥＮＣに入力される前に取得する。マスタースイッチャーは、ＣＭバンクから送出された映像信号を送出する。
【００３９】
図３に戻り、判定部１２は、中継部１１が取得したＣＭ素材の映像信号の付属情報領域に含まれるＣＭ素材識別情報を取得する。そして、判定部１２は、取得したＣＭ素材識別情報で特定されるＣＭ素材の放送の可否を判定する。
【００４０】
ＣＭ素材の映像信号は、付属情報を付すことができる付属情報領域（いわゆる、アンシラリ領域）を含む。本実施形態では、この付属情報領域に、複数のＣＭ素材各々を識別するためのＣＭ素材識別情報が含まれる。例えば、ＣＭ素材の冒頭の映像信号（一番初めのフレームに関わる映像信号）の付属情報領域にＣＭ素材識別情報が含まれてもよい。ＣＭバンク及びマスタースイッチャーは、ＣＭ素材の映像信号を冒頭から順に送出する。冒頭の映像信号の付属情報領域にＣＭ素材識別情報が含まれていれば、判定部１２は、中継部１１がＣＭ素材の冒頭の映像信号を取得した段階で、ＣＭ素材識別情報を取得することができる。この場合、判定部１２は、ＣＭ素材の他の部分（例：末尾、中間）の映像信号の付属情報領域にＣＭ素材識別情報が含まれている場合に比べて、早く、ＣＭ素材識別情報を取得できる。そして、判定部１２は、より速いタイミングで放送の可否の判定を行うことができる。
【００４１】
判定部１２は、例えば、ＣＭ素材各々の放送が禁止される放送禁止条件に基づき、ＣＭ素材の放送の可否を判定してもよい。
【００４２】
例えば、判定部１２は、予め、図４に示すようなＣＭ毎放送禁止条件情報を保持しておいてもよい。図４に示すＣＭ毎放送禁止条件情報では、ＣＭ素材識別情報（素材コード）各々に、各ＣＭ素材に適用される放送禁止条件の識別情報（放送禁止条件ＩＤ）が対応付けられている。１つのＣＭ素材に１つの放送禁止条件を対応付けてもよいし、複数の放送禁止条件を対応付けてもよい。また、放送禁止条件を対応付けられないＣＭ素材が存在してもよい。
【００４３】
さらに、判定部１２は、図５に示すような放送禁止条件値情報を保持しておいてもよい。放送禁止条件値情報では、放送禁止条件ＩＤ各々に、「放送可」または「放送不可」に対応する値が対応付けられる。図では、「放送可」に対応する値として「可」が記載され、「放送不可」に対応する値として「不可」が記載されているが、これに限定されない。例えば、いずれか一方のみにフラグをたててもよい。
【００４４】
放送禁止条件値情報で示される放送禁止条件各々の値は、図６に示すような放送禁止条件情報に従い決定され、更新部（不図示）により更新される。
【００４５】
放送禁止条件ＩＤ「禁００１」の放送禁止条件では、６時から１８時の間は放送が禁止されることが示されている。このような放送禁止条件に従えば、図５に示す放送禁止条件値情報における放送禁止条件ＩＤ「禁００１」に対応付けられる値は、６時から１８時の間は「不可」となり、その他の時間帯は「可」となる。
【００４６】
放送禁止条件ＩＤ「禁００２」の放送禁止条件では、９時から１２時の間は放送が禁止されることが示されている。このような放送禁止条件に従えば、図５に示す放送禁止条件値情報における放送禁止条件ＩＤ「禁００２」に対応付けられる値は、９時から１２時の間は「不可」となり、その他の時間帯は「可」となる。
【００４７】
放送禁止条件ＩＤ「禁００３」の放送禁止条件では、天気が雨の場合、放送が禁止されることが示されている。このような放送禁止条件に従えば、図５に示す放送禁止条件値情報における放送禁止条件ＩＤ「禁００３」に対応付けられる値は、天気が雨の場合、「不可」となり、その他の場合は「可」となる。
【００４８】
放送禁止条件ＩＤ「禁００４」の放送禁止条件では、Ａチームの勝敗が負けの場合、放送が禁止されることが示されている。このような放送禁止条件に従えば、図５に示す放送禁止条件値情報における放送禁止条件ＩＤ「禁００４」に対応付けられる値は、Ａチームの勝敗が負けの場合、「不可」となり、その他の場合は「可」となる。
【００４９】
例えば、オペレータが、所定のタイミング（例：１日１回所定の時刻、１日複数回所定の時刻）で、放送禁止条件情報（図６参照）、及び、各放送禁止条件を判定するための最新の情報（例：現在時刻、天気、Ａチームの勝敗等）に基づき、放送禁止条件各々の最新の値（放送可、又は、放送不可）を決定し、放送禁止条件ごとに決定した値を更新部に入力してもよい。そして、更新部は、入力された値に従い、放送禁止条件値情報（図５参照）を更新してもよい。
【００５０】
その他、更新部が、所定のタイミング（例：１日１回所定の時刻、１日複数回所定の時刻）で、放送禁止条件各々の最新の値（放送可、又は、放送不可）を決定し、決定した値に従い、放送禁止条件値情報（図５参照）を更新してもよい。
【００５１】
当該例の場合、更新部は、所定のタイミング（例：１日１回所定の時刻、１日複数回所定の時刻）で、放送禁止条件各々の値（放送可、又は、放送不可）を判定するための最新の情報を取得する。
【００５２】
放送禁止条件各々の値を判定するための情報は、放送禁止条件の内容に応じて異なる。図６の放送禁止条件ＩＤ「禁００１」及び「禁００２」の放送禁止条件の場合、例えば現在時刻が、判定するための情報となる。図６の放送禁止条件ＩＤ「禁００３」の放送禁止条件の場合、例えば現在の天気の内容や当日の最新の天気予報の内容等が、判定するための情報となる。図６の放送禁止条件ＩＤ「禁００４」の放送禁止条件の場合、例えばＡチームの前日の試合結果や、当日の試合結果等が、判定するための情報となる
【００５３】
更新部は、例えばこれらの情報を提供するサーバからこれらの情報を取得してもよい。その他、オペレータがこれらの情報を更新部に入力してもよい。
【００５４】
更新部は、判定するための情報を取得すると、当該情報と、放送禁止条件情報（図６参照）とに基づき、放送禁止条件各々の値（放送可、又は、放送不可）を決定する。そして、更新部は、決定した値に従い、放送禁止条件値情報（図５参照）を更新する。なお、更新部は、本実施形態のＣＭ管理装置１０に備えられてもよいし、ＣＭ管理装置１０と通信可能に構成された他の装置に備えられてもよい。
【００５５】
判定部１２は、例えば、図４に示すＣＭ毎放送禁止条件情報、及び、図５に示す放送禁止条件値情報に基づき、各ＣＭ素材のそのタイミングでの放送の可否を判定する。
【００５６】
例えば、判定部１２は、中継部１１が取得したＣＭ素材の映像信号の付属情報領域に含まれるＣＭ素材識別情報を取得すると、図４に示すＣＭ毎放送禁止条件情報を参照し、放送禁止条件が対応付けられているか否かを判断する。
【００５７】
対応付けられていない場合、判定部１２は、そのＣＭ素材は放送可と判定する。一方、対応付けられている場合、判定部１２は、図５に示す放送禁止条件値情報を参照し、対応付けられている放送禁止条件の値を取得する。
【００５８】
値が放送可に対応するものである場合、判定部１２は、そのＣＭ素材は放送可と判定する。一方、値が放送不可に対応するものである場合、判定部１２は、そのＣＭ素材は放送不可と判定する。
【００５９】
具体例を用いて説明する。例えば、付属情報領域に含まれるＣＭ素材識別情報（素材コード）が「１２３４−５６７８９０」であったとする。図４に示すＣＭ毎放送禁止条件情報を参照すると、放送禁止条件ＩＤ「禁００１」が対応付けられている。このため、判定部１２は、図５に示す放送禁止条件値情報を参照し、放送禁止条件ＩＤ「禁００１」に対応付けられている放送禁止条件の値を取得する。図５では、放送禁止条件ＩＤ「禁００１」に「放送可」に対応する値が対応付けられている。このため、判定部１２は、ＣＭ素材識別情報（素材コード）「１２３４−５６７８９０」のＣＭ素材は、当該タイミングで放送可と判定する。
【００６０】
他の例として、付属情報領域に含まれるＣＭ素材識別情報（素材コード）が「１２３４−５６７８９１」であったとする。図４に示すＣＭ毎放送禁止条件情報を参照すると、放送禁止条件ＩＤ「禁００２」及び「禁００３」が対応付けられている。このため、判定部１２は、図５に示す放送禁止条件値情報を参照し、放送禁止条件ＩＤ「禁００２」及び「禁００３」に対応付けられている放送禁止条件の値を取得する。図５では、放送禁止条件ＩＤ「禁００２」に「放送可」に対応する値が対応付けられ、放送禁止条件ＩＤ「禁００３」に「放送不可」に対応する値が対応付けられている。このため、判定部１２は、ＣＭ素材識別情報（素材コード）「１２３４−５６７８９１」のＣＭ素材は、当該タイミングで放送不可と判定する。判定部１２は、対応付けられているすべての放送禁止条件で放送可と判定した場合、そのＣＭ素材は当該タイミングで放送可と判定する。
【００６１】
他の例として、付属情報領域に含まれるＣＭ素材識別情報（素材コード）が「１２３４−５６７８９２」であったとする。図４に示すＣＭ毎放送禁止条件情報を参照すると、放送禁止条件が対応付けられていない。このため、判定部１２は、ＣＭ素材識別情報（素材コード）「１２３４−５６７８９２」のＣＭ素材は、当該タイミングで放送可と判定する。
【００６２】
図３に戻り、差替部１３は、判定部１２による判定結果に応じて所定の処理を実行する。差替部１３は、判定部１２が放送可と判定すると、当該ＣＭ素材の映像信号が送信所に送信されるように処理する。一方、差替部１３は、判定部１２が放送不可と判定すると、当該ＣＭ素材の映像信号に変えて、差替ＣＭ素材の映像信号が送信所に送信されるように処理する。例えば、差替部１３は、予め、どのタイミングでも放送可能であるＣＭ素材のデータを保持しておいてもよい。そして、当該ＣＭ素材を差替ＣＭ素材としてもよい。上記所定の映像信号が送信所に送信されるようにする処理の詳細は制限されないが、以下一例を説明する。
【００６３】
図２の（１）の位置にＣＭ管理装置１０を設ける場合、判定部１２が放送可と判定すると、差替部１３は、ＣＭバンクから中継部１１に入力されたＣＭ素材の映像信号を出力する。一方、判定部１２が放送不可と判定すると、差替部１３は、ＣＭバンクから中継部１１に入力されたＣＭ素材の映像信号に代えて、差替ＣＭ素材の映像信号を出力する。差替部１３から出力された映像信号は、その後、マスタースイッチャーに入力される。なお、差替部１３が差替ＣＭ素材の映像信号を出力した場合、ＣＭバンクから中継部１１に入力されたＣＭ素材の映像信号はマスタースイッチャーに入力されない。
【００６４】
図２の（２）の位置にＣＭ管理装置１０を設ける場合、判定部１２が放送可と判定すると、差替部１３は、ＣＭバンクからマスタースイッチャーを経由して中継部１１に入力されたＣＭ素材の映像信号を出力する。一方、判定部１２が放送不可と判定すると、差替部１３は、ＣＭバンクからマスタースイッチャーを経由して中継部１１に入力されたＣＭ素材の映像信号に代えて、差替ＣＭ素材の映像信号を出力する。差替部１３から出力された映像信号は、その後、ＥＮＣに入力される。なお、差替部１３が差替ＣＭ素材の映像信号を出力した場合、ＣＭバンクからマスタースイッチャーを経由して中継部１１に入力されたＣＭ素材の映像信号はＥＮＣに入力されない。
【００６５】
なお、差替部１３は、差替ＣＭ素材の映像信号が送信所に送信されるように処理する場合、差替ＣＭ素材の映像信号の付属情報領域に、放送不可と判定されたＣＭ素材のＣＭ素材識別情報が含めてもよい。例えば、差替部１３が、放送不可と判定されたＣＭ素材の映像信号の付属情報領域に含まれるＣＭ素材識別情報を、代わりに送出する差替ＣＭ素材の映像信号の付属情報領域に付加し、付加後に差替ＣＭ素材の映像信号を送出してもよい。このようにすれば、差替ＣＭ素材の映像信号の付属情報領域を参照することで、いずれのＣＭ素材の放送が中止されたかを容易に把握できる。
【００６６】
次に、図７のフローチャートを用いて、本実施形態のＣＭ管理装置１０の処理の流れの一例を説明する。
【００６７】
まず、中継部１１が、ＣＭバンクから送出されたＣＭ素材の映像信号を送信所に送信される前に取得する（Ｓ１０）。
【００６８】
すると、判定部１２は、Ｓ１０で中継部１１が取得したＣＭ素材の映像信号の付属情報領域に含まれるＣＭ素材識別情報を取得する（Ｓ１１）。そして、判定部１２は、取得したＣＭ素材識別情報で特定されるＣＭ素材の放送の可否を判定する（Ｓ１２）。
【００６９】
判定部１２が放送可と判定すると（Ｓ１３のＹｅｓ）、差替部１３は、当該ＣＭ素材の映像信号が送信所に送信されるように処理する（Ｓ１４）。例えば、差替部１３は、当該ＣＭ素材の映像信号を所定の処理部に向けて出力する。以降、差替部１３から送信されたＣＭ素材の映像信号に対して、他の信号との多重化処理等がなされる。その後、当該映像信号は送信所に送信される。そして、送信所から放送波として送信される。
【００７０】
一方、判定部１２が放送不可と判定すると（Ｓ１３のＮｏ）、差替部１３は、当該ＣＭ素材の映像信号に代えて、差替ＣＭ素材の映像信号が送信所に送信されるように処理する（Ｓ１５）。例えば、差替部１３は、差替ＣＭ素材の映像信号を所定の処理部に向けて出力する。以降、差替部１３から送信された差替ＣＭ素材の映像信号に対して、他の信号との多重化処理等がなされる。その後、当該映像信号は送信所に送信される。そして、送信所から放送波として送信される。
【００７１】
以上説明した本実施形態によれば、ＣＭバンクから送出された後、かつ、送信所に送信される前に、ＣＭバンクから送出されたＣＭ素材各々の当該タイミングでの放送の可否を判定することができる。そして、放送可の場合は当該ＣＭ素材がそのまま放送されるようにし、放送不可の場合は他の差替ＣＭ素材が放送されるようにすることができる。このように、本実施形態によれば、より放送タイミングに近い水際でのチェックが実現される。結果、より効果的に、好ましくないタイミングでＣＭ素材が放送される不都合を軽減することができる。
【００７２】
また、放送の可否を判定するためには、ＣＭバンクから送出されたＣＭ素材を識別する必要がある。本実施形態のＣＭ管理装置１０は、映像信号の付属情報領域を利用して、ＣＭバンクから送出されたＣＭ素材の識別を実現する。当該手段によれば、既存システムからの大幅な変更を回避できる。
【００７３】
また、本実施形態では、ＣＭ素材各々の放送が禁止される放送禁止条件に基づき、ＣＭ素材の放送の可否を判定することができる。このような本実施形態によれば、放送が禁止される条件をＣＭ素材毎に定めておくことで、放送が禁止される条件下でＣＭ素材が放送される不都合を回避できる。
【００７４】
＜第２の実施形態＞
第１の実施形態では、判定部１２が、放送禁止条件に基づきＣＭ素材の放送の可否を判定する例を説明した。本実施形態の判定部１２は、放送禁止条件に加えて又は代えて、放送許可条件（ＣＭ素材各々の放送が許可される条件）に基づき、ＣＭ素材の放送の可否を判定する点で異なる。その他の構成は、第１の実施形態と同様である。
【００７５】
本実施形態のＣＭ管理装置１０の機能ブロック図の一例は、第１の実施形態同様図３で示される。中継部１１の構成は、第１の実施形態と同様である。
【００７６】
判定部１２は、例えば、ＣＭ素材各々の放送が許可される放送許可条件に基づき、ＣＭ素材の放送の可否を判定してもよい。
【００７７】
例えば、判定部１２は、予め、図８に示すようなＣＭ毎放送許可条件情報を保持しておいてもよい。図８に示すＣＭ毎放送許可条件情報では、素材グループと、放送条件ＩＤと、素材コードとが互いに対応付けられている。
【００７８】
素材グループの欄には、複数の素材グループを識別するための情報が記載される。各素材グループには、１つまたは複数の素材コード（ＣＭ素材識別情報）が対応付けられる。すなわち、各素材グループには、１つまたは複数のＣＭ素材が含まれる。
【００７９】
１つの素材グループに複数の素材コードが対応付けられる場合、複数の素材コード各々に、各ＣＭ素材の放送が許可される条件が対応付けられる。
【００８０】
図の例の場合、素材グループ「ＡＡＡＡ」に含まれる複数の素材コード各々に、条件値（ケースＡ乃至Ｃ）が対応付けられている。例えば、ケースＡに該当する場合、素材コード「１２３４−５６７８９０」のＣＭ素材の放送が許可され、ケースＢに該当する場合、素材コード「１２３４−５６７８９１」のＣＭ素材の放送が許可され、ケースＣに該当する場合、素材コード「１２３４−５６７８９２」のＣＭ素材の放送が許可されることを意味する。
【００８１】
また、図の例の場合、複数の素材コードが対応付けられた素材グループに、いずれの条件値に該当するか決定する放送許可条件の識別情報（放送許可条件ＩＤ）が対応付けられている。
【００８２】
図８の例の場合、素材グループ「ＡＡＡＡ」においては、放送許可条件ＩＤ「ＸＸ」の放送許可条件に基づいて、いずれの条件値（ケースＡ乃至Ｃ）に該当するかが決定される。素材グループ「ＢＢＢＢ」においては、放送許可条件ＩＤ「ＹＹ」の放送許可条件に基づいて、いずれの条件値（ケースＡ乃至Ｄ）に該当するかが決定される。
【００８３】
例えば、判定部１２は、図９に示すような放送許可条件値情報を保持しておいてもよい。放送許可条件値情報では、放送許可条件ＩＤ各々に、条件値が対応付けられる。図では、ケースＡ乃至Ｄ各々に対応する値としてＡ乃至Ｄが記載されているが、これに限定されない。
【００８４】
放送許可条件値情報で示される放送許可条件各々の値は、図１０に示すような放送許可条件情報に従い決定され、更新部（不図示）により更新される。
【００８５】
図１０に示す放送許可条件情報では、放送許可条件ＩＤと、名称と、各条件値（ケースＡ乃至Ｄ等）に対応する値とが互いに対応付けられている。名称は、放送許可条件各々を人が容易に把握できるようにするためのものである。
【００８６】
例えば、放送許可条件ＩＤ「ＸＸ」は、天気に基づいて条件値が決定される。晴れの場合、条件値「ケースＡ」が決定され、雨の場合、条件値「ケースＢ」が決定され、その他の場合、条件値「ケースＣ」が決定される。
【００８７】
放送許可条件ＩＤ「ＹＹ」は、Ａチームの勝敗に基づいて条件値が決定される。勝ちの場合、条件値「ケースＡ」が決定され、負けの場合、条件値「ケースＢ」が決定され、引き分けの場合、条件値「ケースＣ」が決定され、試合なしの場合、条件値「ケースＤ」が決定される。
【００８８】
例えば、オペレータが、所定のタイミング（例：１日１回所定の時刻、１日複数回所定の時刻）で放送許可条件情報（図１０参照）に基づき、放送許可条件各々の最新の条件値を決定し、放送許可条件ごとに決定した条件値を更新部に入力してもよい。そして、更新部は、入力された条件値に従い、放送許可条件値情報（図９参照）を更新してもよい。
【００８９】
その他、更新部が、所定のタイミング（例：１日１回所定の時刻、１日複数回所定の時刻）で放送許可条件各々の最新の条件値を決定し、決定した条件値に従い、放送許可条件値情報（図９参照）を更新してもよい。
【００９０】
当該例の場合、更新部は、所定のタイミング（例：１日１回所定の時刻、１日複数回所定の時刻）で、放送許可条件各々の条件値を判定するための最新の情報を取得する。
【００９１】
放送許可条件各々の条件値を判定するための情報は、放送許可条件の内容に応じて異なる。図１０の放送許可条件ＩＤ「ＸＸ」の放送許可条件の場合、例えば現在の天気の内容や当日の最新の天気予報の内容等が、判定するための情報となる。図１０の放送許可条件ＩＤ「ＹＹ」の放送許可条件の場合、例えばＡチームの前日の試合結果や、当日の試合結果等が、判定するための情報となる
【００９２】
更新部は、例えばこれらの情報を提供するサーバからこれらの情報を取得してもよい。その他、オペレータがこれらの情報を更新部に入力してもよい。
【００９３】
更新部は、判定するための情報を取得すると、当該情報と、放送許可条件情報（図１０参照）とに基づき、放送許可条件各々の条件値を決定する。そして、更新部は、決定した条件値に従い、放送許可条件値情報（図９参照）を更新する。
【００９４】
判定部１２は、例えば、図８に示すＣＭ毎放送許可条件情報、及び、図９に示す放送許可条件値情報に基づき、各ＣＭ素材のそのタイミングでの放送の可否を判定する。
【００９５】
例えば、判定部１２は、中継部１１が取得したＣＭ素材の映像信号の付属情報領域に含まれるＣＭ素材識別情報を取得すると、図８に示すＣＭ毎放送許可条件情報を参照し、放送許可条件が対応付けられているか否か判断する。
【００９６】
対応付けられていない場合、判定部１２は、そのＣＭ素材は放送可と判定する。一方、対応付けられている場合、判定部１２は、図９に示す放送許可条件値情報を参照し、対応付けられている放送許可条件の条件値を取得する。
【００９７】
条件値が当該ＣＭ素材に対応するものである場合、判定部１２は、そのＣＭ素材は放送可と判定する。一方、条件値が当該ＣＭ素材に対応するものでない場合、判定部１２は、そのＣＭ素材は放送不可と判定する。そして、判定部１２は、放送不可と判定されたＣＭ素材が属する素材グループの中の、放送許可条件値情報から取得した条件値に対応するＣＭ素材を、差替ＣＭ素材として決定する。
【００９８】
例えば、中継部１１が取得したＣＭ素材の映像信号の付属情報領域に含まれるＣＭ素材識別情報（素材コード）が「１２３４−５６７８９１」であったとする。図８に示すＣＭ毎放送許可条件情報を参照すると、当該ＣＭ素材には放送条件ＩＤ「ＸＸ」が対応付けられている。このため、判定部１２は、図９に示す放送許可条件値情報を参照し、対応付けられている放送許可条件の条件値、すなわち「ケースＡ」を取得する。
【００９９】
取得した条件値「ケースＡ」は、ＣＭ素材識別情報（素材コード）「１２３４−５６７８９１」に対応する値「ケースＢ」と異なる。このため、判定部１２は、当該ＣＭ素材の当該タイミングでの放送は不可と判定する。そして、判定部１２は、当該ＣＭ素材の属する素材グループ「ＡＡＡＡ」に属し、条件値「ケースＡ」に対応するＣＭ素材識別情報（素材コード）「１２３４−５６７８９０」のＣＭ素材を、差替ＣＭ素材として決定する。
【０１００】
他の例として、中継部１１が取得したＣＭ素材の映像信号の付属情報領域に含まれるＣＭ素材識別情報（素材コード）が「１２３４−５６７８９９」であったとする。図８に示すＣＭ毎放送許可条件情報を参照すると、当該ＣＭ素材には放送許可条件が対応付けられていない。このため、判定部１２は、当該ＣＭ素材の当該タイミングでの放送は可と判定する。
【０１０１】
なお、判定部１２は、第１の実施形態で説明した放送禁止条件と、本実施形態で説明した放送許可条件とを用いて、ＣＭ素材の放送の可否を判定することもできる。この場合、判定部１２は、放送許可条件に基づき放送可と判定され、かつ、放送禁止条件に基づき放送可と判定された場合、そのＣＭ素材を放送可と判定してもよい。そして、放送許可条件及び放送禁止条件の少なくとも一方に基づき放送不可と判定された場合、そのＣＭ素材を放送不可と判定してもよい。
【０１０２】
当該例の場合、判定部１２は、放送許可条件に基づき上述のように決定された差替ＣＭ素材に対しても、放送禁止条件に基づいた判定を行ってもよい。そして、放送不可と判定され場合、予め用意されているどのタイミングでも放送可能なＣＭ素材を、新たな差替ＣＭ素材として決定してもよい。
【０１０３】
本実施形態のＣＭ管理装置１０の処理の流れの一例は、第１の実施形態と同様である。
【０１０４】
以上説明した本実施形態によれば、第１の実施形態と同様な作用効果を実現できる。
【０１０５】
また、本実施形態では、ＣＭ素材各々の放送が許可される放送許可条件に基づき、ＣＭ素材の放送の可否を判定することができる。このような本実施形態によれば、放送が許可される条件をＣＭ素材毎に定めておくことで、放送が禁止される条件下でのみＣＭ素材が放送されるようにできる。
【０１０６】
また、放送禁止条件と放送許可条件とを組み合わせることで、ＣＭ素材の放送制限のバリエーションが増し好ましい。
【０１０７】
以下、参考形態の例を付記する。
１．  ＣＭ（commercial message）バンクから送出されたＣＭ素材の映像信号を送信所に送信される前に取得する中継手段と、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段と、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段と、
を有するＣＭ管理装置。
２．  １に記載のＣＭ管理装置において、
前記ＣＭ素材識別情報は、前記ＣＭ素材の冒頭の映像信号の前記付属情報領域に含まれるＣＭ管理装置。
３．  １又は２に記載のＣＭ管理装置において、
前記差替手段は、前記差替ＣＭ素材の映像信号が前記送信所に送信されるように処理する場合、前記差替ＣＭ素材の映像信号の前記付属情報領域に、放送不可と判定された前記ＣＭ素材の前記ＣＭ素材識別情報が含められるように処理するＣＭ管理装置。
４．  １から３のいずれかに記載のＣＭ管理装置において、
前記判定手段は、前記ＣＭ素材各々の放送が禁止される放送禁止条件に基づき、前記ＣＭ素材の放送の可否を判定するＣＭ管理装置。
５．  １から４のいずれかに記載のＣＭ管理装置において、
前記判定手段は、前記ＣＭ素材各々の放送が許可される放送許可条件に基づき、前記ＣＭ素材の放送の可否を判定するＣＭ管理装置。
６．  コンピュータが、
ＣＭバンクから送出されたＣＭ素材の映像信号を送信所に送信される前に取得する中継工程と、
前記中継工程で取得した前記ＣＭ素材の映像信号の付属情報領域に含まれるＣＭ素材識別情報を取得し、当該ＣＭ素材識別情報で特定される前記ＣＭ素材の放送の可否を判定する判定工程と、
前記判定工程で放送可と判定されると、当該ＣＭ素材の映像信号が前記送信所に送信されるように処理し、前記判定工程で放送不可と判定されると、当該ＣＭ素材の映像信号に変えて、差替ＣＭ素材の映像信号が前記送信所に送信されるように処理する差替工程と、
を実行するＣＭ管理方法。
６−２．  ６に記載のＣＭ管理方法において、
前記ＣＭ素材識別情報は、前記ＣＭ素材の冒頭の映像信号の前記付属情報領域に含まれるＣＭ管理方法。
６−３．  ６又は６−２に記載のＣＭ管理方法において、
前記差替工程では、前記差替ＣＭ素材の映像信号が前記送信所に送信されるように処理する場合、前記差替ＣＭ素材の映像信号の前記付属情報領域に、放送不可と判定された前記ＣＭ素材の前記ＣＭ素材識別情報が含められるように処理するＣＭ管理方法。
６−４．  ６から６−３のいずれかに記載のＣＭ管理方法において、
前記判定工程では、前記ＣＭ素材各々の放送が禁止される放送禁止条件に基づき、前記ＣＭ素材の放送の可否を判定するＣＭ管理方法。
６−５．  ６から６−４のいずれかに記載のＣＭ管理方法において、
前記判定工程では、前記ＣＭ素材各々の放送が許可される放送許可条件に基づき、前記ＣＭ素材の放送の可否を判定するＣＭ管理方法。
７．  コンピュータを、
ＣＭバンクから送出されたＣＭ素材の映像信号を送信所に送信される前に取得する中継手段、
前記中継手段が取得した前記ＣＭ素材の映像信号の付属情報領域に含まれるＣＭ素材識別情報を取得し、当該ＣＭ素材識別情報で特定される前記ＣＭ素材の放送の可否を判定する判定手段、
前記判定手段が放送可と判定すると、当該ＣＭ素材の映像信号が前記送信所に送信されるように処理し、前記判定手段が放送不可と判定すると、当該ＣＭ素材の映像信号に変えて、差替ＣＭ素材の映像信号が前記送信所に送信されるように処理する差替手段、
として機能させるためのプログラム。
７−２．  ７に記載のプログラムにおいて、
前記ＣＭ素材識別情報は、前記ＣＭ素材の冒頭の映像信号の前記付属情報領域に含まれるプログラム。
７−３．  ７又は７−２に記載のプログラムにおいて、
前記差替手段に、前記差替ＣＭ素材の映像信号が前記送信所に送信されるように処理する場合、前記差替ＣＭ素材の映像信号の前記付属情報領域に、放送不可と判定された前記ＣＭ素材の前記ＣＭ素材識別情報が含められるように処理させるプログラム。
７−４．  ７から７−３のいずれかに記載のプログラムにおいて、
前記判定手段に、前記ＣＭ素材各々の放送が禁止される放送禁止条件に基づき、前記ＣＭ素材の放送の可否を判定させるプログラム。
７−５．  ７から７−４のいずれかに記載のプログラムにおいて、
前記判定手段に、前記ＣＭ素材各々の放送が許可される放送許可条件に基づき、前記ＣＭ素材の放送の可否を判定させるプログラム。
【符号の説明】
【０１０８】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    ＣＭ管理装置
１１    中継部
１２    判定部
１３    差替部
【図１】
0006520244.tif 000002
【図２】
0006520244.tif 000003
【図３】
0006520244.tif 000004
【図４】
0006520244.tif 000005
【図５】
0006520244.tif 000006
【図６】
0006520244.tif 000007
【図７】
0006520244.tif 000008
【図８】
0006520244.tif 000009
【図９】
0006520244.tif 000010
【図１０】
0006520244.tif 000011